(57)【要約】本発明は発電機用の五角トラス構造体及びこれを利用した発電設備用の構造物に関するものとして、その目的はトラス構造を利用し装置を構成することによってタービンを堅固に支持することが可能で、なお、内部に設置されたタービンの維持/補修や交替作業を容易にできる発電機用の五角トラス構造体、並びにこれを利用した発電設備用の構造物を提供することにある。そのための本発明はタービンの上端部や下端部にそれぞれ配置されてタービンを回転可能に支持する上段支持部及び下段支持部、上記の上段支持部や下段支持部の各頂点を交互連結するが、ある支持部の頂点がもう一方の支持部の二つの頂点につながるように上段支持部と下段支持部との各頂点を連結して三角形のトラス構造を持つ多数の側面を形成する多数個の連結部材で成った構造体において、上記の上段支持部は上部左右側辺や下部左右側辺、底辺を持つ正五角形の平面構造で構成され、上記の下段支持部は上部左右側辺や下部左右側辺、底辺を持つ正五角形の平面構造で構成されるが、下段支持部の上部左右側辺は上段支持部の底辺の垂直下部に配置され、下段支持部の底辺は上段支持部の上部左右側辺の垂直下部に配置され、上段支持部のある一辺に対し対角方向に置かれた下段支持部のある一辺が交互平行の状態を保つよう構成された発電機用の五角トラス構造体、並びにこれを利用した発電設備用の構造物に関するものを技術的要旨とする。【代表図】図 4【索引語】五角、上段支持部、下段支持部、連結部材、タービン
2012508846.tif 000002
【特許請求の範囲】
【請求項１】
流体が持つエネルギーを利用して電気の発生のための動力を発生するタービン(300)の上端部と下端部にそれぞれ配置され、タービンを回転可能に支持する上段支持部(110)及び下段支持部(120)と、上記の上段支持部(110)と下段支持部(120)の各頂点を交互連結するが、ある支持部の頂点がもう一方の支持部の二つの頂点につながるように上段支持部と下段支持部の各頂点を連結し、三角形のトラス構造を持つ多数の側面を形成する多数個の連結部材(130)で成った構造体において、
上記の上段支持部(110)は上部左右側辺(110a、110b)、下部左右側辺(110c、110d)及び底辺(110e)を持つ正五角形の平面構造で構成され、
上記の下段支持部(120)は上部左右側辺(120a、120b)、下部左右側辺(120c、120d)及び底辺(120e)を持つ正五角形の平面構造で構成されるが、下段支持部(120)の上部左右側辺(120a、120b)は上段支持部(110)の底辺(110e)の垂直下部に配置され、下段支持部(120)の底辺(120e)は上段支持部(110)の上部左右側辺(110a、110b)の垂直下部に配置され、上段支持部(110)のある一辺と対角方向に置かれた下段支持部(120)のある一辺異交互平行の状態を保つように構成され、タービンの維持/補修または交替のための空間の確保のために、どの一辺とつながった連結部材を取り除いても、上段支持部を構成する5個の辺のうち3個の辺が残りの連結部材によって支持されて構造体が崩壊されないように構成されたことを特徴とする発電機用の五角トラス構造体。
【請求項２】
第1項において、
上記の上段支持部(110)の重心は上記の下段支持部(120)の重心の垂直上端部に位置するように構成されたことを特徴とする発電機用の五角トラス構造体。
【請求項３】
上部左右側辺(110a、110b)、下部左右側辺(110c、110d)及び底辺(110e)を持つ正五角形の平面構造で形成され、タービン(300)の上端部を回転可能に支持する上段支持部(110)や上部左右側辺(120a、120b)、下部左右側辺(120c、120d)及び底辺(120e)を持つ正五角形の平面構造で構成され、タービン(300)の下端部を回転可能に支持するが、上部左右側辺(120a、120b)は上段支持部(110)の底辺(110e)の垂直下部に配置され、底辺(120e)は上段支持部(110)の上部左右側辺(110a、110b)の垂直下部に配置された下段支持部(120)と、上記の上段支持部(110)と下段支持部(120)との各頂点を交互連結するが、どの支持部の頂点がほかのどの支持部の二つの頂点につながるように上段支持部(110)と下段支持部(120)とを連結する多数個の連結部材(130)で成った五角トラス構造体を多数個組合せて構成される発電設備用の構造物において、
最上段に配置される一つの五角トラス構造体(100)を中心に、その下部に各層ごと五個の五角トラス構造体(100`)を配置するが、新しく配置される五個の五角トラス構造体が頂点に配置された上記の五角トラス構造体を中心に五角形の各頂点まで延長される線(L)上に位置するよう配置され、各々の五角トラス構造体が交互支持され、ピラミッド構造を形成するったことを特徴とする五角トラス構造体を利用した発電設備用の構造物。
【請求項４】
第3項において、
上記の五角トラス構造体を交互連結するに当たって、上部に配置される五角トラス構造体(100)の下段支持部(120)の一辺と下部に配置される五角トラス構造体(100`)の上段支持部(110`)の一辺とが交互結合されたり、または共有されるようにして隣の二つの五角トラス構造体を結合させたことを特徴とする五角トラス構造体を利用した発電設備用の構造物。
【請求項５】
第3項または第4項において、
隣に配置される二つの五角トラス構造体を交互連結するが、三角形のトラス構造を形成するように二つの五角トラス構造体を連結する支持台(140)をさらに含めることを特徴とする五角トラス構造体を利用した発電設備用の構造物。
【発明の詳細な説明】
【技術分野】
【０００１】
本発明は発電設備に使われるタービンを支持するトラス構造体、並びにこれを利用した発電設備用の構造物に関するものでおり、とくに五角形の構造を持つ二つのフレームが上下に配置された状態で、多数個の連結部材によってつながり、トラス構造を形成することによって垂直の回転軸を持つタービンを堅固に支持し、さらに大規模の発電設備を構成する構造物を容易に構築できるようにする発電機用の五角トラス構造体、並びにこれを利用した発電設備用の構造物に関するものである。
【背景技術】
【０００２】
一般的に風の力を利用して電気を発生する風力発電装置は産業の発達及び人口増加に伴い石油、石炭、天然ガス等の資源が枯渇して行くことから、代替エネルギー資源の一環として、多くの研究が進んでいる。
【０００３】
図１は一般的な風力発電装置を図示している。
【０００４】
主に使われている風力発電装置は風力を受けて回転力を発生させる多数個のブレードを持つタービン(10)、上記のタービン(10)の回転によって電力を生産する発電機(20)、上記タービン(10)及び発電機(20)を支持する支持装置(30)で構成されている。
【０００５】
上記のような風力発電装置が安定的に発電を行うためには、タービンを頂上類に近く、高い高度に位置させなければならない。
【０００６】
しかし、上記のようにタービンを高い高度に位置させるためには十分な高さを持つ支持装置が要求されるが、さらに支持装置を地面に据え付ける十分な剛性を持つ固定構造が要求され、過度の設置費用が掛かるとともに、強風による破損の危険性も高く、タービンや発電機及び主要部品の維持/補修に多い問題が伴なうという短所を持っている。
【０００７】
それに、タービンの構造から最小風速5~6m/sec以上にならなければ円滑な発電が出来なく、送風方向に応じてタービンの方向を調節しなければならないため、風が比較的に弱くて風向が度々変る地形では満足できる発電効率は期待できない。さらに、台風や突風のときには部品の破損を防ぐため運転を止めなければならないという問題点も持っている。
【０００８】
上記のような問題点を考慮して低い風圧、及び風向の変化が多い地形でも円滑な発電が可能な垂直形の風力発電装置が提示されて使われている。
【０００９】
図２は垂直形の風力発電装置の構成を図示している。
【００１０】
上記の垂直形風力発電装置は、支持装置(30)に垂直に設置された回転軸にタービン(10)が設置されたものが構成され、風の方向に関係なくタービンが回るようになり、風の方向変化が多い地形でも円滑な発電が可能という利点を持っている。
【００１１】
しかし、垂直に設置されたタービンの円滑な回転のためには支持装置を利用してタービンの上部と下部を支持しなければならないため、支持装置の構成が複雑になり、十分な剛性を保つためには多い資材の使用とともに広い設置空間が要求とされる問題点があった。
【００１２】
上記の問題点を考慮して本出願人は新しい構造の支持装置を登録特許公報の第0744992号(出願番号:10-2006-0057486)を通じて提示したことがある。
【００１３】
図３は登録特許公報第0744992号に開示された支持装置の斜視図を図示している。
【００１４】
上記の支持装置は三角形の平面構造を持つ上段支持部(41)と、上記の上段支持部(41)の垂直下部で逆三角の平面構造を持つように配置された下段支持部(42)と、上記の上段支持部(41)と下段支持部(42)との各頂点を交互連結し、ある一つの支持部の頂点がほかの支持部の二つの頂点につながるようにし、三角形構造を持つ6個の面を形成するる連結部(43)で構成されている。
【００１５】
上記のような支持装置は単純な構造を持ちながら、最小の資材を利用して堅固、かつ空間活用度の高い支持装置を提供することが出来る。さらに、多数個の支持装置を積層の構造で設けたり、または交互つながった状態で規則的な配列構造を与えることによって、風力発電所の造成が容易になるという利点を持っている。
【００１６】
しかし、上記のような支持装置は上段支持部や下段支持部が三角形の構造で形成されたため、支持装置の内部に設置されているタービンの維持/補修や交替が必要な場合、支持装置全体を分解しなければならないという問題点を持っているが、この問題点は多数の支持装置が積層構造になっている場合、もっと深刻な問題をもたらすようになる。
【００１７】
即ち、積層した多数の支持装置のうち下端部に配置された支持装置のタービンが損傷され交替が要求される場合、該当タービンが設置されている支持装置の上のすべての支持装置を分解しなければ、損傷タービンの交替が出来ないため、相当な費用及び時間、それから人力を消耗するようになる問題点を持っている。
【００１８】
また、上記のような支持装置を積層して発電設備を構成しようとする場合、最下端部に位置する支持装置を地面に十分な強度で据え付けて、突風や強風によって装置が崩壊されることを防ぐため、地盤及び基礎工事に多い費用が掛かるという問題点を持っている。
【発明の概要】
【発明が解決しようとする課題】
【００１９】
本発明は上記の問題点を考慮して成ったものでおり、本発明の目的はトラス構造を利用して支持装置を構成することによって、タービンを堅固に支持できるようになり、なお内部に設置されたタービンの維持/補修や交替作業を容易にできる発電機用の五角トラス構造体、並びにこれを利用した発電設備用の構造物を提供することにある。
【００２０】
なお、大規模の発電所の造成が容易な発電機用の五角トラス構造体、並びにこれを利用した発電設備用の構造物を提供することにある。
【課題を解決するための手段】
【００２１】
上記の目的を達成して従来の欠点を取り除くための課題を遂行する本発明の発電機用の五角トラス構造体は、流体が持つエネルギーを利用して電気の発生するための動力を得るタービンの上端部や下端部に各々配置され、タービンを回転可能に支持する上段支持部及び下段支持部や上記の上段支持部と下段支持部との各頂点を交互連結するが、ある支持部の頂点がもう一つの支持部の二つの頂点につながるように上段支持部と下段支持部との各頂点を連結し、三角形のトラス構造を持つ多数の側面を形成する多数個の連結部材で成った構造体において、上記の上段支持部は上部左右側辺や下部左右側辺及び底辺を持つ正五角形の平面構造で構成され、上記の下段支持部は上部左右側辺や下部左右側辺及び底辺を持つ正五角形の平面構造で構成されるが、下段支持部の上部左右側辺は上段支持部の底辺の垂直下部に配置され、下段支持部の底辺は上段支持部の上部左右側辺の垂直下部に配置され、上段支持部のどの一辺と対角方向に置かれた下段支持部のどの一辺と交互平行の状態を保つように構成され、タービンの維持/補修または交替のための空間確保のために、ある一辺とつながっている連結部材を取り除いても上段支持部を構成する5個の辺のうち3個の辺が残りの連結部材によって支持され、構造体が崩壊されないように構成されたことを特徴とする。
【００２２】
一方、上記の上段支持部の重心は上記の下段支持部の重心の垂直上端部に位置するように構成するのが望ましい。
【００２３】
なお、本発明の五角トラス構造体を利用した発電設備用の構造物は上部左右側辺や下部左右側辺及び底辺を持つ正五角形の平面構造で形成され、タービンの上端部を回転可能に支持する上段支持部や上部左右側辺、下部左右側辺及び底辺を持つ正五角形の平面構造で構成され、タービンの下端部を回転可能に支持するが、上部左右側辺は上段支持部の底辺の垂直下部に配置され、底辺は上段支持部の上部左右側辺の垂直下部に配置された下段支持部や上記の上段支持部、下段支持部の各頂点を交互連結するが、ある支持部の頂点がほかのある支持部の二つの頂点につながるように上段支持部と下段支持部を連結する多数個の連結部材で成った五角トラス構造体多数個を組合せて構成する発電設備用の構造物において、最上段に配置される一つの五角トラス構造体を中心に、その下部に各層ごと五つの五角トラス構造体を配置するが、新しく配置される五つの五角トラス構造体が頂点に配置された上記の五角トラス構造体を中心に五角形の各頂点まで延長される線上に位置するよう配置され、各々の五角トラス構造体が交互支持され、ピラミッド構造を形成することをその特徴とする。
【００２４】
一方、上記の五角トラス構造体を交互連結するにおいて、上部に配置される五角トラス構造体の下段支持部の一辺と下部に配置される五角トラス構造体の上段支持部の一辺と交互結合されたり、共有されるようにして、隣の二つの五角トラス構造体を結合することが望ましい。
【００２５】
一方、隣に配置される二つの五角トラス構造体を交互連結するが、三角形のトラス構造を形成するように二つの五角トラス構造体を連結する支持台を更に含めるのが望ましい。
【発明の効果】
【００２６】
上記の特徴を持つ本発明によると、トラス構造を利用してタービンを堅固に支持することが可能でおり、なおタービンの維持/補修及び交替作業のための空間確保のために下段支持部の一方の辺につながっている連結部材を取り除いても上段支持部の3つの辺が残りの連結部材によって支持され、構造体の崩壊が起らないため、タービンの維持/補修及び交替作業を容易にできるようになる。
【００２７】
なお、幾つのトラス構造体を組合せ、大規模発電所を造成するにおいて、各々のトラス構造体が交互つながり、構造的に補完されるため、複雑な地盤及び基礎工事が必要なくて、大規模の発電所の造成が容易になる。
【発明を実施するための最良の形態】
【００２８】
以下、本発明の望ましい実施例を添付した図面と関連して以下のとおり詳しく説明する。
【００２９】
図４は本発明の望ましい実施例による五角トラス構造体の斜視図、図５は図４の正面図、図６は図４の平面図、図７は図４の底面図をそれぞれ図示している。
【００３０】
本発明の望ましい実施例による発電機用の五角トラス構造体は発電機用タービンを支持するにおいて、トラス構造を使い単純ながら、且つ堅固な支持構造を持ち、構造体内に設置されているタービンの維持/補修及び交替のための空間確保が容易でおり、大規模の発電所も容易に造成できるようにしたものでおり、上段支持部(110)、下段支持部(120)、連結部材(130)で構成されている。
【００３１】
上記の上段支持部(110)は、タービンの上端部に位置するように配置され、タービンの上部を回転可能に支持する。その上段支持部(110)は上部左右側辺(110a、110b)、下部左右側辺(110c、110d)及び底辺(110e)で成る五角形の平面構造で構成されるが、このとき各々の辺の長さが同様の正五角形の構造を持つように構成するのが望ましい。
【００３２】
一方、上段支持部(110)の内部には構造的補完のための補強材(111)、及びタービンから延長される回転軸を支持するためのベアリングブロック(112)が設置され、これら補強材(111)やベアリングブロック(112)は特定の構造の制限なく設計者に応じて多様な構造で設置できるが、具体的な説明は略することにする。
【００３３】
上記の下段支持部(120)は、タービンの下部に位置するように配置され、タービンの下部を回転可能に支持する。その下段支持部(120)は上段支持部(110)の垂直下部で上段支持部(110)から離隔されるように配置され、上段支持部(110)と同様に上部左右側辺(120a、120b)や下部左右側辺(120c、120d)及び底辺(120e)で成る五角形の平面構造で構成される。無論これら下段支持部(120)の内部には補強材(121)とベアリングブロック(122)が設置される。
【００３４】
一方、上記の下段支持部(120)は上段支持部(110)と同様に５つの辺の長さが同じ正五角形の平面構造を持つように構成されるが、上段支持部(111)が形成する五角形とは逆構造を持つ逆五角形の平面構造を形成するように構成される。より具体的に説明すると、下段支持部(120)の上部左右側辺(120a、120b)は上段支持部(110)の底辺(110e)の垂直下部に配置され、下段支持部(120)の底辺(120e)は上段支持部(110)の上部左右側辺(110a、110b)の垂直下部に配置される。このような構造によれば、上段支持部(110)のある一辺から対角方向に置かれた下段支持部(120)のある一辺はいつも平行の位置関係を持つようになり、構造体の内部に設置されたタービン(300)の維持/補修や交替のための作業空間の確保が要求される場合、下段支持部(120)のある一辺につながっている連結部材を取り除いて、作業空間を確保するようになり、このとき残りの連結部材が上段支持部(110)の三つの辺を支持するため、一部の連結部材を取り除いた場合にも構造体が崩壊されることを防ぐことができるようになる。
【００３５】
とくに、上記のような構造は本発明の構造体を組合せて成る後述の構造物において、ある構造体に設置されたタービンの維持補修のために該当構造体の一部の連結部材を取り除く場合にも堅固な構造の維持が可能でおり、大規模の発電所の維持/補修の容易さを提供できるという利点を持つことになる。
【００３６】
一方、上記の上段支持部(110)の重心は下段支持部(120)の重心の垂直上端部に位置するように構成するのが望ましい。これは、上段支持部(110)や下段支持部(120)はタービンから延びる回転軸の上端部や下端部を各々回転可能に支持するため、上段支持部(110)や下段支持部(120)の重心を同一の垂線上に位置させることによって、構造的な安定性を高められるようになる。
【００３７】
上記の連結部材(130)は上段支持部(110)と下段支持部(120)とを連結し、タービンを内部に受け入れる構造体を形成するが、上段支持部(110)と下段支持部(120)との各頂点を交互連結するように多数個が提供される。これら各々の連結部材(130)はパイプまたはバー等で成り、上段支持部(110)と下段支持部(120)との各頂点を交互連結するにおいて、ある支持部のある頂点がもう一つの支持部の二つの頂点と同時に連結するように設置される。
【００３８】
上記のように、ある支持部のある頂点と、もう一つの支持部の二つの頂点を連結するように設置する連結部材(130)によって、三角形のトラス構造が形成され、5角形の平面構造を持つ上段支持部(110)と下段支持部(120)とを多数個の連結部材(130)を使って上記の構造で連結すれば、三角形のトラス構造を持つ10個の側面が形成される。このような三角形トラス構造は周知のように荷重を適切に分散させ安定的な構造を形成するようになるため、流体の圧力を利用して電気の生産のための動力を発生するタービンを堅固に支持できるようになる。
【００３９】
一方、上記の上段支持部(110)を構成する部材と、下段支持部(120)を構成する部材と、連結部材(130)とはジョイント等で交互つながり、このとき上段支持部(110)や下段支持部(120)を構成する部材やジョイント等はとくに特別な場合を除けば分解組立が要求されないから、溶接を通じて結合することもできるが、上記の連結部材やジョイントは分解組立ができるように構成するのが望ましい。
【００４０】
図８は連結部材やジョイントの結合構造を表した斜視図を図示している。
【００４１】
上記のジョイント(150)は上段支持部(110)と連結部材(130)とつながる部分、下段支持部(120)と連結部材(130)とつながる部分に設置されるが、連結部材(130)の分解組立を容易にするために、別途の連結フランジ(160)によって連結部材(130)と結合される。
【００４２】
より具体的には、ジョイント(150)には連結フランジ(160)との結合のための柱(151)が備えられ、柱(151)の外面には連結フランジ(160)との結束のための溝(152)が形成されている。なお、連結部材(130)の端にも連結フランジ(160)との結束のための溝(131)が形成されている。
【００４３】
一方、上記の連結フランジ(160)は二つのフランジ部材(161、162)が柱(151)や連結部材(130)を包むように配置された状態で、ボルトとナットによって結束され、ジョイント(150)と連結フランジ(160)とを結束するが、この時フランジ部材(161、162)の内部には柱(151)及び連結部材(130)に形成された溝(152、131)に挿入される突起(163)が形成されている。
【００４４】
上記のような構造でジョイント(150)と連結部材(130)とを連結すれば、管理者はタービンの維持/補修や交替が要求される場合、手軽に連結部材(130)を分解できるようになる。
【００４５】
一方、上記の連結部材(130)とジョイント(150)との結合構造は連結部材(130)とジョイント(150)との組立及び分解が可能な構造を持つようにするための一つの例を説明したものでおり、本発明の構造体はこのような構造に限られず、なおほかの構造のジョイントを利用し連結部材(130)とジョイント(150)とを分解組立が可能な構造を持つように構成することができる。
【００４６】
図９は本発明による五角トラスの内部に風力発電機用のタービンが設置された状態を表した斜視図を図示している。
【００４７】
上記のとおり構成された本発明の五角トラス構造体の内部には風力発電のためのタービン(300)が設置され、このときタービン(300)の上部に延長された回転軸(210)の上端部は上段支持部(110)に回転可能に結合され、タービンの下部に延長される回転軸の下端部は下段支持部(120)に回転可能に結合される。無論上記の回転軸は発電機（未図示）とつながり、タービン(300)の回転によって発生される動力を発電機に伝えるようになる。
【００４８】
一方、上記のように構成された本発明の五角トラス構造体は単独で使って一つのタービンを支持するように構成することもできるが、大規模の風力発電所を造成するための構造物を形成するために使用されることもできる。
【００４９】
図１０は本発明によるトラス構造体を利用した発電設備用の構造物の斜視図、図１１は図１０の平面図、図１２は図１０の正面図、図１３は図１０に図示された構造物において隣の二つのトラス構造体の連結状態を表した斜視図をそれぞれ図示している。
【００５０】
一方、本発明による構造物について以下に説明するに当たって、ピラミッドの頂点に位置する一つの五角トラス構造体の図面符号を100番とし、頂点に配置された五角トラス構造体(100)の下部に設置される残りの五角トラス構造体の図面符号は100`番と記載するようにする。
【００５１】
本発明による発電設備用の構造物(200)は幾つの五角トラス構造体が交互結合され、まるでピラミッドのような形を持つように構成されたものでおり、最上段に配置される一つの五角トラス構造体(100)を中心に、その下部に各層ごと五個の五角トラス構造体(100`)を配置するが、新しく配置される五個の五角トラス構造体(100`)が頂点に配置された上記の五角トラス構造体(100)を中心に五角形の各頂点まで延長される線(L)上に位置するよう配置され、各々の五角トラス構造体が交互支持されながら、ピラミッド構造を形成するように構成されている。
【００５２】
一方、五角トラス構造体を交互連結するに当たって、上部に配置される五角トラス構造体(100)の下段支持部(120)の一辺と下部に配置される五角トラス構造体(100`)の上段支持部(110`)の一辺と交互結合されたり、または共有されるようにして隣の二つの五角トラス構造体(100、100`)を結合させるようになり、望ましくは上部に配置される五角トラス構造体(100)下段支持部(120)の一辺や下部に配置される五角トラス構造体(100`)上段支持部(110`)の一辺を二つの五角トラス構造体(100、100`)が共有しながら構造物を構成するように構成される。図１３にはこのような構造が図示されている。
【００５３】
上記のような構造を持つ発電設備用の構造物(200)を制作する過程について簡略に説明すると、地面に五個の五角トラス構造体を設計された規格によって交互一定の間隔を保つように設け、地面に一定の間隔を置いて設置された各々の五角トラス構造体の上端部に、さらにほかの五個の五角トラス構造体を設ける。もちろんこの時地面に設置されたそれぞれの五角トラス構造体には各々一つの五角トラス構造体が結合され、新しく結合される五角トラス構造体はピラミッド頂点を向けるように配置される。
【００５４】
上記のとおり各層ごと五個の新しい五角トラス構造体を設けてピラミッド構造を形成するようになり、ピラミッドの頂点には一つの五角トラス構造体を設けることによって、ピラミッド構造の発電設備用の構造物(200)が出来上がるようになる。
【００５５】
一方、既設置された五角トラス構造体(100`)の上部に、ほかの五角トラス構造体(100)を設けるに当たって、別途の制作公定を経て仕上がった五角トラス構造体(100)を既設置された五角トラス構造体(100`)に設ける方式によって作業を進めることも出来るが、既設置された五角トラス構造体(100`)に下段支持部(120)や連結部材(130)及び上段支持部(110)を段階的に組み立て、新しい五角トラス構造体(100)を現場で直接制作して組み立てる方式によって作業を進めることもできる。
【００５６】
なお、隣の二つの五角トラス構造体(100、100`)の堅固な結合のために別途の支持台(140)を利用して二つの五角トラス構造体(100、100`)を交互結合させることが望ましいが、もちろんこの場合にも支持台(140)を利用して三角形のトラス構造を形成することによって、最小の資材をもって構造的に安定した構造物を提供できるようになる。
【００５７】
この様に仕上がった発電設備用の構造物(200)は頂点に配置された五角トラス構造体(100)が五角形の中心に配置され、これを中心に多数個の五角トラス構造体(100`)が五角形の各頂点に延長されたような平面構造を形成するながら、ピラミッド構造を形成するようになる。
【００５８】
一方、上記のように発電設備用の構造物(200)を構成する各々の五角トラス構造体の内部には流体が持つエネルギーを利用して電気発生のための動力を発生するタービンが配置され、各々のタービンから発生された動力を一つの発電機まで伝えたり、または各々のタービンごとに発電機を連結することによって、発電可能な構造を持つようになる。
【００５９】
このような本発明の発電設備用の構造物(200)は各々の五角トラス構造体が交互結合され、構造的な補完関係を保つことによって、過度の地盤工事や基礎工事などが要求されないという利点がある。
【００６０】
本発明は上述した特定の望ましい実施例に限らず、請求範囲で請求する本発明の要旨を外れることなしに、当該発明が属する技術分野で通常の知識を持つ者ならば、誰でも多様な変形実施が可能なのは勿論、その変更は請求範囲の記載の範囲内にあることになる。
【図面の簡単な説明】
【００６１】
図１は、一般的な風力発電装置の側面図、
図２は、垂直形風力発電装置の構成を表した斜視図、
図３は、登録特許公報第0744992号に開示された支持装置の斜視図、
図４は、本発明の望ましい実施例による五角トラス構造体の斜視図、
図５は、図４の正面図、
図６は、図４の平面図、
図７は、図４の底面図、
図８は、連結部材とジョイントとの結合構造を表した斜視図、
図９は、本発明による五角トラスの内部に風力発電機用タービンが設置された状態を表した斜視図、
図１０は、本発明によるトラス構造体を利用した発電設備用の構造物の斜視図、
図１１は、図１０の平面図、
図１２は、図１０の正面図、
図１３は、図１０に図示された構造物において隣の二つのトラス構造体の連結状態を表した斜視図。
<図面の主要部分についての符号の説明>
(100)、(100`):五角トラス構造体
(110):上段支持部
(120):下段支持部
(130):連結部材
(140):支持台
(200):発電設備用の構造物
(300):タービン
【図１】
2012508846.tif 000003
【図２】
2012508846.tif 000004
【図３】
2012508846.tif 000005
【図４】
2012508846.tif 000006
【図５】
2012508846.tif 000007
【図６】
2012508846.tif 000008
【図７】
2012508846.tif 000009
【図８】
2012508846.tif 000010
【図９】
2012508846.tif 000011
【図１０】
2012508846.tif 000012
【図１１】
2012508846.tif 000013
【図１２】
2012508846.tif 000014
【図１３】
2012508846.tif 000015
【国際調査報告】
2012508846.tif 000016
2012508846.tif 000017
2012508846.tif 000018
2012508846.tif 000019